(57)【要約】【課題】ＵＳＢメモリなどのデータ再生ソースに記憶される楽曲などのデータの中から、所望の再生のためのデータを容易に探して再生すること。【解決手段】本発明に係る再生システム１は、複数の再生ソース５，３４，３５などの中から選択された再生ソースを再生する再生システム１である。そして、この再生システム１は、再生のためのデータ２５が記憶されたデータ再生ソース５と、データ再生ソース５のデータの一部を、従属的な再生ソースの再生対象とする再生対象選択手段６４と、データ再生ソース５および従属的な再生ソースを含む複数の再生ソース５，３４，３５などの中から従属的な再生ソースが選択された場合、従属的な再生ソースの再生対象を再生する再生手段６３と、を有する。【選択図】図３
2008181624.tif 000002
【特許請求の範囲】
【請求項１】
複数の再生ソースの中から選択された再生ソースを再生する再生システムであって、
再生のためのデータが記憶されたデータ再生ソースと、
上記データ再生ソースのデータの一部を、従属的な再生ソースの再生対象とする再生対象選択手段と、
上記データ再生ソースおよび上記従属的な再生ソースを含む複数の再生ソースの中から上記従属的な再生ソースが選択された場合、上記従属的な再生ソースの再生対象を再生する再生手段と、
を有することを特徴とする再生システム。
【請求項２】
前記再生対象選択手段および前記再生手段は、前記データ再生ソースと通信可能な再生装置に設けられ、
前記再生対象選択手段は、上記再生装置が前記データ再生ソースと通信可能な状態において、従属的な再生ソースの再生対象を選択すること、
を特徴とする請求項１記載の再生システム。
【請求項３】
前記再生対象選択手段および前記再生手段は、前記データ再生ソースと通信可能な再生装置に設けられ、
上記再生装置は、上記再生装置が前記データ再生ソースと通信可能でなくなった場合、前記データ再生ソースとともに前記従属的な再生ソースを、再生ソースとして選択できないようにするソース選択手段を有すること、
を特徴とする請求項１記載の再生システム。
【請求項４】
前記再生対象選択手段および前記再生手段は、メモリとともに、前記データ再生ソースと通信可能な再生装置に設けられ、
前記再生対象選択手段は、前記従属的な再生ソースの再生対象に関するデータを上記メモリに記憶させ、
前記再生装置は、前記再生装置が前記データ再生ソースと通信可能でなくなった場合、上記メモリから前記従属的な再生ソースのデータを削除することにより、前記従属的な再生ソースを初期化すること、
を特徴とする請求項１記載の再生システム。
【請求項５】
前記再生対象選択手段は、前記データ再生ソースの再生中に選択されたものを前記従属的な再生ソースの再生対象として登録すること、および／または、前記従属的な再生ソースの再生中に選択されたものを前記従属的な再生ソースの再生対象から削除すること、を特徴とする請求項１記載の再生システム。
【請求項６】
前記再生手段は、前記従属的な再生ソースの再生対象を選択するために、前記データ再生ソースの再生対象を一部分ずつ順番に再生することを特徴とする請求項１記載の再生システム。
【請求項７】
前記データ再生ソースはフォルダにより分類されており、
前記再生手段は、前記従属的な再生ソースの再生対象を選択するために、前記データ再生ソースの再生対象をフォルダ毎に１つずつ再生し、
前記再生対象選択手段は、再生中に選択されたものをフォルダ単位で前記従属的な再生ソースの再生対象とすること、
を特徴とする請求項１記載の再生システム。
【請求項８】
前記再生手段は、前記データ再生ソースの再生対象を再生する場合、前記従属的な再生ソースの再生対象ではないものを再生することを特徴とする請求項１記載の再生システム。
【請求項９】
再生のためのデータが記憶されたデータ再生ソースを含む、複数の再生ソースの中から選択された再生ソースを再生する再生方法であって、
上記データ再生ソースのデータの一部を、従属的な再生ソースの再生対象とするステップと、
上記データ再生ソースおよび上記従属的な再生ソースを含む複数の再生ソースの中から上記従属的な再生ソースが選択された場合、上記従属的な再生ソースの再生対象を再生するステップと、
を有することを特徴とする再生方法。
【発明の詳細な説明】
【技術分野】
【０００１】
本発明は、再生システムおよび再生方法に関する。
【背景技術】
【０００２】
特許文献１は、複数の音楽アイテムの再生順を規定するプレイリストデータを記憶装置に記憶しておき、プレイリストデータを表示器に表示するとともに、プレイリストデータに従った順に音楽アイテムを再生する音楽再生装置を開示する。そして、この音楽再生装置では、プレイリストデータ中に、プレイリストデータによって指定される音楽アイテムを再生するか否かを指定する再生指定データを設定することができる。
【０００３】
【特許文献１】特開２００６−１９６０５８号公報（特許請求の範囲など）
【発明の開示】
【発明が解決しようとする課題】
【０００４】
特許文献１の音楽再生装置では、予め作成されたプレイリストデータ中に、再生するか否かを指定することで、プレイリストに登録された楽曲の一部を再生することができる。つまり、楽曲が多くなった場合でも、その一部の楽曲のみを再生することが可能となる。
【０００５】
ところで、現在、所謂ＵＳＢ（Ｕｎｉｖｅｒｓａｌ  Ｓｅｒｉａｌ  Ｂｕｓ）メモリなどが広く利用されている。そこで、このＵＳＢメモリなどに記録されている楽曲データなどを、自動車などの車両に設置された車両用オーディオシステムを利用して再生することが考えられる。
【０００６】
しかしながら、最近のＵＳＢメモリなどの記憶容量の大容量化が著しく、ＵＳＢメモリなどには、たとえば数百曲の楽曲を記憶させることが可能になっている。そして、ＵＳＢメモリなどに記憶された多数の楽曲などを車両用オーディオシステムにおいて再生する場合、ユーザは、まず、ＵＳＢメモリなどが記憶する多数の楽曲中から所望の楽曲を探さなければならない。
【０００７】
そこで、特許文献１にあるように、ＵＳＢメモリなどに、車両用オーディオシステムで再生するか否かを指定した楽曲のリストを記録することが考えられる。この指定がなされたリストにより、車両用オーディオシステムが再生対象とする楽曲を絞り込むことができる。ユーザは、ＵＳＢメモリなどが記憶する楽曲が多い場合でも、この指定により絞り込まれた楽曲の中から所望の楽曲を容易に探して再生することができる。
【０００８】
しかしながら、車両用オーディオシステムでの再生対象とするか否かをリストにおいて指定する場合、ユーザは、再生をする前にその指定作業をしなければならくなる。また、ＵＳＢメモリなどから車両用オーディオシステムへ楽曲をコピーなどにより移し替え、その際に再生するものを指定することも考えられるが、その指定作業には時間がかかり、ユーザにとって、とても面倒に感じる作業となってしまう。
【０００９】
しかも、そのような指定をしてしまったリストは、車両用オーディオシステムで利用することを目的としているため、車両用オーディオシステム以外での利用に流用し難い。携帯型の音楽再生装置などを車両用オーディオシステムで利用することがメインではないユーザにとって、車両用オーディオシステムでの利用のためだけにこのようなリストを作成し且つ指定をすることは面倒である。
【００１０】
本発明は、ＵＳＢメモリなどのデータ再生ソースに記憶される楽曲などのデータの中から、所望の再生のためのデータを容易に探して再生することができる再生システムおよび再生方法を得ることを目的とする。
【課題を解決するための手段】
【００１１】
本発明に係る再生システムは、複数の再生ソースの中から選択された再生ソースを再生する再生システムである。そして、この再生システムは、再生のためのデータが記憶されたデータ再生ソースと、データ再生ソースのデータの一部を、従属的な再生ソースの再生対象とする再生対象選択手段と、データ再生ソースおよび従属的な再生ソースを含む複数の再生ソースの中から従属的な再生ソースが選択された場合、従属的な再生ソースの再生対象を再生する再生手段と、を有する。
【００１２】
本発明に係る再生システムは、上述した発明の構成に加えて以下の特徴を有するものである。すなわち、再生対象選択手段および再生手段は、データ再生ソースと通信可能な再生装置に設けられる。また、再生対象選択手段は、再生装置がデータ再生ソースと通信可能な状態において、従属的な再生ソースの再生対象を選択する。
【００１３】
本発明に係る再生システムは、上述した発明の構成に加えて以下の特徴を有するものである。すなわち、再生対象選択手段および再生手段は、データ再生ソースと通信可能な再生装置に設けられる。また、再生装置は、再生装置がデータ再生ソースと通信可能でなくなった場合、データ再生ソースとともに従属的な再生ソースを、再生ソースとして選択できないようにするソース選択手段を有する。
【００１４】
本発明に係る再生システムは、上述した発明の構成に加えて以下の特徴を有するものである。すなわち、再生対象選択手段および再生手段は、メモリとともに、データ再生ソースと通信可能な再生装置に設けられる。また、再生対象選択手段は、従属的な再生ソースの再生対象に関するデータをメモリに記憶させる。再生装置は、再生装置がデータ再生ソースと通信可能でなくなった場合、メモリから従属的な再生ソースのデータを削除することにより、従属的な再生ソースを初期化する。
【００１５】
本発明に係る再生システムは、上述した発明の構成に加えて以下の特徴を有するものである。すなわち、再生対象選択手段は、データ再生ソースの再生中に選択されたものを従属的な再生ソースの再生対象として登録すること、および／または、従属的な再生ソースの再生中に選択されたものを従属的な再生ソースの再生対象から削除する。
【００１６】
本発明に係る再生システムは、上述した発明の構成に加えて以下の特徴を有するものである。すなわち、再生手段は、従属的な再生ソースの再生対象を選択するために、データ再生ソースの再生対象を一部分ずつ順番に再生する。
【００１７】
本発明に係る再生システムは、上述した発明の構成に加えて以下の特徴を有するものである。すなわち、データ再生ソースはフォルダにより分類されている。また、再生手段は、従属的な再生ソースの再生対象を選択するために、データ再生ソースの再生対象をフォルダ毎に１つずつ再生する。再生対象選択手段は、再生中に選択されたものをフォルダ単位で従属的な再生ソースの再生対象とする。
【００１８】
本発明に係る再生システムは、上述した発明の構成に加えて以下の特徴を有するものである。すなわち、再生手段は、データ再生ソースの再生対象を再生する場合、従属的な再生ソースの再生対象ではないものを再生する。
【００１９】
本発明に係る再生方法は、再生のためのデータが記憶されたデータ再生ソースを含む、複数の再生ソースの中から選択された再生ソースを再生する再生方法である。そして、この再生方法は、データ再生ソースのデータの一部を、従属的な再生ソースの再生対象とするステップと、データ再生ソースおよび従属的な再生ソースを含む複数の再生ソースの中から従属的な再生ソースが選択された場合、従属的な再生ソースの再生対象を再生するステップと、を有する。
【発明の効果】
【００２０】
本発明では、ＵＳＢメモリなどのデータ再生ソースに記憶される楽曲などのデータの中から、所望の再生のためのデータを容易に探して再生することができる。
【発明を実施するための最良の形態】
【００２１】
以下、本発明の実施の形態に係る再生システムおよび再生方法を、図面に基づいて説明する。別体のデータ再生ソースは、ＵＳＢメモリを例として説明する。再生方法は、再生システムの動作の一部として説明する。
【００２２】
図１は、本発明の実施の形態に係る再生システム１を示すシステム構成図である。再生システム１は、カラー液晶装置２およびスピーカ３が接続される再生装置４と、この再生装置４に対して抜きさし可能なＵＳＢメモリ５と、を有する。たとえば、カラー液晶装置２は自動車のダッシュボードに配設され、再生装置４は自動車のセンターコンソールに配設され、スピーカ３は、自動車のドア内などに配設される。
【００２３】
図２は、図１中の再生装置４を示す正面図である。再生装置４のフロントパネル１０には、６つのプリセットボタン１１〜１６と、メニューボタン１７と、ＡＤＤボタン１８と、ＤＥＬボタン１９と、文字などを表示することができる長尺の液晶パネル２０と、が配設される。以下において、６つのプリセットボタン１１〜１６について互いを区別して説明する場合には、左側から順番に第一から第六の番号を付加して説明する。なお、フロントパネル１０は、開閉可能であり、フロントパネル１０の裏側にＣＤ（コンパクトディスク）などを格納するための図示外のスロットが設けられている。
【００２４】
図３は、図１中のＵＳＢメモリ５および再生装置４の詳細な構成を示すブロック図である。
【００２５】
データ再生ソースとしてのＵＳＢメモリ５は、複数の楽曲ファイル２５と、ＵＳＢメモリ管理データ２６と、を記憶する。楽曲ファイル２５は、楽曲を再生するためのデータを記憶するものであり、その再生データに加えてたとえば楽曲名によるファイル名などの属性情報を有する。ＵＳＢメモリ管理データ２６は、ＵＳＢメモリ５に記憶されるファイルを管理するファイルシステム用のデータである。
【００２６】
図４は、図３中のＵＳＢメモリ管理データ２６と、図３中の後述する仮想ＵＳＢ管理データ７２との対応関係を示す説明図である。
【００２７】
ＵＳＢメモリ管理データ２６は、図４の左側に示すように、ファイル管理データ２７とフォルダ管理データ２８とを有する。ファイル管理データ２７は、ＵＳＢメモリ５に記憶される楽曲ファイル２５のファイル名などの属性情報とを有する。フォルダ管理データ２８は、ＵＳＢメモリ５に登録されたフォルダのフォルダ名などの属性情報を有する。このファイル管理データ２７やフォルダ管理データ２８により、ＵＳＢメモリ５中において各楽曲ファイル２５を特定することができる。
【００２８】
図４の例は、ＵＳＢメモリ５に６つの楽曲ファイル２５が記憶されている場合のものである。そして、ＵＳＢメモリ管理データ２６は、ファイル管理データ２７としてその６つの楽曲ファイル２５のファイル名と、フォルダ管理データ２８として１０個のフォルダのフォルダ名とを、フォルダによる階層構造により互いを関連付けて記憶する。ＵＳＢメモリ５を利用するファイルシステムは、このＵＳＢメモリ管理データ２６を用いて、メモリ中のフォルダやファイルを特定したり、データの書込み先や読込み元を特定したりすることができる。
【００２９】
図３に戻り、再生装置４は、キーデバイス３１、ＵＳＢモジュール３２、液晶パネル２０、再生ソースの一種であるチューナデバイス３４、再生ソースの一種であるＣＤデバイス３５、これらが接続されるシステムマイクロコンピュータ３３などを有する。
【００３０】
キーデバイス３１は、上述した第一から第六の６つのプリセットボタン１１〜１６、メニューボタン１７、ＡＤＤボタン１８、ＤＥＬボタン１９などを有する。キーデバイス３１は、操作されたボタンに応じた操作データを、システムマイクロコンピュータ３３へ出力する。
【００３１】
なお、この実施の形態において、キーデバイス３１は、第一のプリセットボタン１１が操作されると再生ソースを選択するための操作データを出力し、第二のプリセットボタン１２が操作されると現在再生中の楽曲データの１つ前に登録されている楽曲データの再生を指示するための操作データを出力し、第三のプリセットボタン１３が操作されると楽曲データの再生停止を指示するための操作データを出力し、第四のプリセットボタン１４が操作されると楽曲データの再生開始を指示するための操作データを出力し、第五のプリセットボタン１５が操作されると現在再生中の楽曲データの１つ後に登録されている楽曲データの再生を指示するための操作データを出力し、第六のプリセットボタン１６が操作されると登録された楽曲データを登録順に１０秒ずつ順番に再生を指示するための操作データを出力する。ＡＤＤボタン１８およびＤＥＬボタン１９の詳細は後述する。
【００３２】
ＵＳＢモジュール３２は、ＵＳＢＩ／Ｆ（Ｉｎｔｅｒｆａｃｅ）４１と、データ読込実行部４２と、挿抜状態管理部４３と、を有する。データ読込実行部４２および挿抜状態管理部４３は、ＵＳＢモジュール３２中の図示外のマイクロコンピュータが図示外のプログラムを実行することで実現される。
【００３３】
通信手段として機能するＵＳＢＩ／Ｆ４１は、再生装置４に装着されているＵＳＢメモリ５とデータ通信をする。
【００３４】
データ読込実行部４２は、デバイス管理データ４４を有し、ＵＳＢＩ／Ｆ４１を用いてＵＳＢメモリ５に記憶されるデータを取得し、システムマイクロコンピュータ３３へ出力する。デバイス管理データ４４は、たとえばＵＳＢモジュール３２中の図示外のメモリに記憶されていればよく、たとえば、ＵＳＢメモリ５から取得したＵＳＢメモリ管理データ２６のコピーデータ、最後に読み込んだ楽曲ファイル２５に関するデータなどが記録される。最後に読み込んだ楽曲ファイル２５に関するデータには、たとえばその楽曲ファイル２５のファイル名、その楽曲ファイル２５の格納先のフォルダのフォルダ名、その楽曲ファイル２５を取得するためにＵＳＢメモリ５に指定するアドレス（デバイスアドレス）などの特定データが含まれる。
【００３５】
挿抜状態管理部４３は、再生装置４に対するＵＳＢメモリ５の抜きさしを検出し、検出通知をシステムマイクロコンピュータ３３へ出力する。つまり、挿抜状態管理部４３は、再生装置４のデータ読込実行部４２が再生装置４に装着されたＵＳＢメモリ５と通信可能な状態と、ＵＳＢメモリ５が再生装置４に装着されておらずデータ読込実行部４２がＵＳＢメモリ５と通信不可能な状態とを、再生装置４に対するＵＳＢメモリ５の抜きさしにより検出する。
【００３６】
システムマイクロコンピュータ３３は、図示外のＣＰＵおよびメモリ５１を有する。このメモリ５１は、ＲＡＭ（Ｒａｎｄｏｍ  Ａｃｃｅｓｓ  Ｍｅｍｏｒｙ）などの給電中のみデータを保持する揮発性メモリであっても、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ  ）などの給電停止中もデータを保持する不揮発性メモリであってもよい。システムマイクロコンピュータ３３のＣＰＵは、このメモリ５１に記憶されるプログラムを読み込んで実行する。これにより、システムマイクロコンピュータ３３には、操作判断部６１と、ソース管理部６２と、再生実行部６３と、仮想的なＵＳＢメモリを管理する仮想ＵＳＢ管理部６４と、が実現される。
【００３７】
なお、再生装置４のシステムマイクロコンピュータ３３が実行するプログラムは、再生装置４の出荷前にシステムマイクロコンピュータ３３に記録されたものであっても、再生装置４の出荷後にシステムマイクロコンピュータ３３に記録されたものであってもよい。また、プログラムの一部が、再生装置４の出荷後にシステムマイクロコンピュータ３３に記録されたものであってもよい。再生装置４の出荷後にシステムマイクロコンピュータ３３に記録されるプログラムは、たとえばメモリカードやＣＤ−ＲＯＭ（Ｃｏｍｐａｃｔ  Ｄｉｓｃ  Ｒｅａｄ  Ｏｎｌｙ  Ｍｅｍｏｒｙ）などのコンピュータ読取可能な記録媒体に記録されているものをインストールしたものであっても、インターネットなどの伝送媒体を介してダウンロードしたものをインストールしたものであってもよい。また、上述したＵＳＢモジュール３２のマイクロコンピュータにより実行されるプログラムについても、同様である。
【００３８】
ソース選択手段の一部としての操作判断部６１は、キーデバイス３１から供給される操作データに対応する制御指令を生成し、再生実行部６３や仮想ＵＳＢ管理部６４などへ供給する。操作判断部６１が生成して再生実行部６３へ指示する制御指令としては、ソースの指定や再生時間の指定などを伴う再生開始指令、再生停止指令、再生戻り指令、再生進み指令、スキャン再生指令などがある。また、操作判断部６１が生成して仮想ＵＳＢ管理部６４へ指示する制御指令としては、再生中楽曲データの登録指令や、再生中の楽曲データの削除指令などがある。
【００３９】
ソース選択手段の一部としてのソース管理部６２は、再生装置４で再生可能なソースを選択可能ソースリスト７１により管理する。再生装置４で再生可能なソースとしては、たとえばチューナやＣＤなどがある。また、ソース管理部６２は、たとえばＵＳＢモジュール３２の挿抜状態管理部４３からＵＳＢメモリ５が装着されたことを示す検出通知が供給されると、ＵＳＢメモリ５を選択可能ソースリスト７１に追加する。逆に、ソース管理部６２は、ＵＳＢモジュール３２挿抜状態管理部４３からＵＳＢメモリ５が抜かれたことを示す検出通知が供給されると、選択可能ソースリスト７１からＵＳＢメモリ５を削除する。
【００４０】
再生手段としての再生実行部６３は、操作判断部６１や仮想ＵＳＢ管理部６４からの制御指令に基づいて、制御指令により指定された楽曲データなどをＣＤやＵＳＢメモリ５などから読み込んで、音声信号や映像信号を生成する。再生実行部６３は、生成した音声信号をスピーカ３へ出力し、生成した映像信号をカラー液晶装置２へ出力する。
【００４１】
再生対象選択手段および初期化手段としての仮想ＵＳＢ管理部６４は、再生装置４に、従属的なＵＳＢメモリを仮想的に実現するためのものである。この仮想的なＵＳＢメモリは、再生装置４に装着されているＵＳＢメモリ５が記憶する楽曲ファイル２５の一部（場合によっては全部）を仮想的に記憶するものである。そして、仮想ＵＳＢ管理部６４は、この仮想的なＵＳＢメモリを実現するために、仮想的なＵＳＢメモリに記憶されるファイルおよびフォルダを管理するための仮想ＵＳＢ管理データ７２を有する。なお、この仮想ＵＳＢ管理データ７２は、システムマイクロコンピュータ３３のメモリ５１などに記憶されていればよい。システムマイクロコンピュータ３３のメモリ５１が不揮発性メモリである場合、仮想ＵＳＢ管理データ７２は、車両の停車中などにも仮想ＵＳＢ管理データ７２を保持することができる。
【００４２】
仮想ＵＳＢ管理データ７２は、図４の右側に示すように、仮想的なＵＳＢメモリに記憶されるすべてのファイルを分類するフォルダ管理データ７３を有する。フォルダ管理データ７３は、仮想的なＵＳＢメモリに登録されたフォルダのフォルダ名などの属性情報（特定データ）を有する。そして、この仮想ＵＳＢ管理データ７２中の各フォルダのフォルダ名などは、図４の左側に示すＵＳＢメモリ管理データ２６中の各フォルダのフォルダ名などと一致している。図４の例では、仮想ＵＳＢ管理データ７２は、ＵＳＢメモリ管理データ２６中の３つのフォルダと一致するフォルダ名を記憶している。なお、この仮想ＵＳＢ管理データ７２中の各フォルダの属性情報は、ＵＳＢメモリ管理データ２６中の各フォルダの属性情報と対応付けが可能なものであればよく、ＵＳＢメモリ管理データ２６中の各フォルダの属性情報の一部であってもよい。
【００４３】
次に、以上の構成を有するこの実施の形態に係る再生システム１の動作を説明する。以下の説明では、主に、ＵＳＢメモリ５に記憶されている楽曲ファイル２５を仮想的なＵＳＢメモリに登録する処理と、仮想的なＵＳＢメモリに登録されている楽曲ファイル２５を削除する処理について説明する。
【００４４】
ＵＳＢメモリ５が再生装置４に装着されると、ＵＳＢモジュール３２の挿抜状態管理部４３は、装着の検出通知をソース管理部６２および仮想ＵＳＢ管理部６４へ供給する。ソース管理部６２は、ＵＳＢメモリ５を選択可能ソースリスト７１に追加する。また、仮想ＵＳＢ管理部６４は、仮想ＵＳＢ管理データ７２が初期化されていることを確認し、仮想的なＵＳＢメモリの装着の検出通知をソース管理部６２へ供給する。ソース管理部６２は、仮想的なＵＳＢメモリを選択可能ソースリスト７１に追加する。選択可能ソースリスト７１には、選択可能な再生ソースのリストとして、たとえば再生装置４に組み込まれているチューナ、ＣＤなどに加えて、ＵＳＢメモリ５および仮想ＵＳＢメモリが登録される。
【００４５】
なお、ＵＳＢメモリ５が再生装置４から抜かれると、ＵＳＢモジュール３２の挿抜状態管理部４３は、抜かれたことを示す検出通知をソース管理部６２および仮想ＵＳＢ管理部６４へ供給する。ソース管理部６２は、選択可能ソースリスト７１からＵＳＢメモリ５を削除する。また、仮想ＵＳＢ管理部６４は、仮想ＵＳＢ管理データ７２を初期化し、その後、仮想的なＵＳＢメモリの抜かれたことを示す検出通知をソース管理部６２へ供給する。ソース管理部６２は、選択可能ソースリスト７１から仮想的なＵＳＢメモリを削除する。選択可能ソースリスト７１には、選択可能な再生ソースのリストとして、たとえば再生装置４に組み込まれているチューナ、ＣＤのみが登録されることになる。
【００４６】
また、ＵＳＢメモリ５が再生装置４に装着されると、ＵＳＢモジュール３２のデータ読込実行部４２は、ＵＳＢＩ／Ｆ４１を用いてＵＳＢメモリ５とのデータ通信を開始する。データ読込実行部４２は、ＵＳＢメモリ５からＵＳＢメモリ管理データ２６を取得し、デバイス管理データ４４にその取得したデータを保存する。これにより、デバイス管理データ４４には、図４の左側に示すＵＳＢメモリ管理データ２６と同じデータが登録される。
【００４７】
ソース選択ボタンとして機能する第一のプリセットボタン１１が操作されると、キーデバイス３１は、その操作データを操作判断部６１へ供給する。操作判断部６１は、ソース管理部６２から選択可能ソースリスト７１を取得し、選択可能ソースリスト７１の最初に登録されているソースを選択し、その選択したソースの情報を液晶パネル２０に表示させる。また、操作判断部６１は、キーデバイス３１から第一のプリセットボタン１１の操作に基づく操作データが供給される度に、選択可能ソースリスト７１において表示中のソースの次に登録されているソースを選択し、その選択したソースの情報を液晶パネル２０に表示させる。
【００４８】
図５は、液晶パネル２０に順番に表示される複数のソース情報を示す説明図である。図５の例では、第一のプリセットボタン１１が操作される度に、液晶パネル２０には、ソース未選択を示す「スタンバイ」、「チューナ」、「ＵＳＢメモリ」、「仮想ＵＳＢ」および「ＣＤ」の順番に表示が切り替わる。また、表示順で最後のソースとなる「ＣＤ」を表示中に第一のプリセットボタン１１が操作されると、液晶パネル２０には、「スタンバイ」が表示される。
【００４９】
なお、再生装置４にＵＳＢメモリ５が装着されていない場合、選択可能ソースリスト７１には、チューナ、ＣＤのみが登録されている。そのため、第一のプリセットボタン１１が操作される度に、液晶パネル２０には、「スタンバイ」、「チューナ」および「ＣＤ」が順番に表示されることになる。
【００５０】
そして、ＵＳＢメモリ５に記憶される楽曲ファイル２５を仮想的なＵＳＢメモリに登録する場合、ユーザは、操作判断部６１にＵＳＢメモリ５を選択させた状態で、たとえばスキャンボタンとして機能する第六のプリセットボタン１６を操作する。スキャンボタンとして機能する第六のプリセットボタン１６が操作されると、キーデバイス３１は、その操作データを操作判断部６１へ供給する。操作判断部６１は、ＵＳＢメモリ５のスキャン再生指令を再生実行部６３へ供給する。
【００５１】
図６は、再生装置４におけるＵＳＢメモリ５のスキャン再生処理および登録処理の流れを示すフローチャートである。ここで「Ｎ」はＮｏ（＝否定）を示し、「Ｙ」はＹｅｓ（＝肯定）を示す。ＵＳＢメモリ５のスキャン再生指令が供給されると（ステップＳＴ１）、再生実行部６３は、ＵＳＢメモリ５に記憶されている楽曲ファイル２５の楽曲データを、先頭から順番に且つ連続的に再生するスキャン再生処理を開始する。
【００５２】
具体的には、再生実行部６３は、まず、データ読込実行部４２からＵＳＢメモリ管理データ２６のコピー（デバイス管理データ４４の一部）を取得し、そのデータ中において楽曲ファイル２５が属する最初のフォルダと、そのフォルダ中の最初の楽曲ファイル２５とを特定する。これにより、ＵＳＢメモリ５に記憶される複数の楽曲ファイル２５の中の、最初のフォルダの最初の楽曲ファイル２５が特定される（ステップＳＴ２）。なお、ここで特定する楽曲ファイル２５は、最初以外の１つの楽曲ファイル２５であってもよい。
【００５３】
次に、再生実行部６３は、特定した最初のフォルダのフォルダ管理データ２８が、仮想ＵＳＢ管理データ７２に登録済みであるか否かを確認する（ステップＳＴ３）。なお、ＵＳＢメモリ５を再生装置４に装着した後の初回のスキャン処理においては、フォルダ管理データ２８は、仮想ＵＳＢ管理データ７２に登録されていない。逆に、２回目以降のスキャン処理においては、フォルダ管理データ２８の一部またはすべてが仮想ＵＳＢ管理データ７２に登録されている可能性がある。
【００５４】
そして、最初のフォルダのフォルダ管理データ２８が仮想ＵＳＢ管理データ７２に登録されている場合（ステップＳＴ３においてＹｅｓの場合）、再生実行部６３は、次の楽曲ファイル２５が属する次のフォルダと、そのフォルダ中の最初の楽曲ファイル２５とを特定し（ステップＳＴ４）、この新たに特定したフォルダのフォルダ管理データ２８が仮想ＵＳＢ管理部６４中の仮想ＵＳＢ管理データ７２に登録されているか否かを確認する（ステップＳＴ３）。なお、ここで特定する楽曲ファイル２５は、最初以外の１つの楽曲ファイル２５であってもよい。
【００５５】
逆に、特定したフォルダのフォルダ管理データ２８が仮想ＵＳＢ管理データ７２に登録されていない場合（ステップＳＴ３においてＮｏの場合）、再生実行部６３は、その未登録の楽曲ファイル２５中の楽曲データのイントロダクション再生処理を開始する。
【００５６】
具体的には、再生実行部６３は、まず、最初またはステップＳＴ４以降のステップで特定されるフォルダのフォルダ管理データ２８およびその特定した楽曲ファイル２５のファイル管理データ２７を指定して、その未登録の楽曲ファイル２５中の楽曲データの取得指令を生成し、データ読込実行部４２へ供給する。データ読込実行部４２は、ＵＳＢＩ／Ｆ４１とＵＳＢメモリ５との間でデータ通信を実行させ、指定されたフォルダ中の指定された楽曲ファイル２５の楽曲データをＵＳＢメモリ５から取得し、取得した楽曲データを再生実行部６３へ供給する。
【００５７】
また、データ読込実行部４２は、取得した楽曲ファイル２５のファイル名などの属性情報と、その楽曲ファイル２５が属するフォルダ名などの属性情報と、その楽曲ファイル２５のＵＳＢメモリ５における格納位置を示すアドレス（デバイスアドレス）などを、デバイス管理データ４４に登録する。これにより、デバイス管理データ４４には、ステップＳＴ５で読み込んだ楽曲ファイル２５に関するデータが登録される。
【００５８】
未登録の楽曲データが供給されると、再生実行部６３は、その楽曲データの再生処理を開始する。再生実行部６３は、楽曲データに基づく音声信号を生成し、スピーカ３へ供給する。スピーカ３は、音声信号に基づく音を出力する（ステップＳＴ５）。
【００５９】
未登録の楽曲データの再生を開始してから所定の時間（たとえば楽曲の再生時間の一部分である約１０秒）が経過すると、再生実行部６３は、再生終了と判断する（ステップＳＴ６）。
【００６０】
このイントロダクション再生処理の後、再生実行部６３は、スキャン再生が完了したか否かを判断する（ステップＳＴ７）。具体的にはたとえば、再生実行部６３は、データ読込実行部４２から取得したＵＳＢメモリ管理データ２６のコピーの中に、未検索のフォルダ管理データ２８が残っているか否かに基づいて、スキャン再生が完了したか否かを判断すればよい。
【００６１】
そして、データ読込実行部４２から取得したＵＳＢメモリ管理データ２６のコピー中に未検索のフォルダ管理データ２８が残っている場合、再生実行部６３は、スキャン再生が完了していないと判断する。再生実行部６３は、フォルダ管理データ２８の検索を続け、別の楽曲ファイル２５が属する次のフォルダと、そのフォルダ中の最初の楽曲ファイル２５とを特定し（ステップＳＴ４）、この新たに特定したフォルダのフォルダ管理データ２８が仮想ＵＳＢ管理データ７２に登録されているか否かを確認する（ステップＳＴ３）。また、再生実行部６３は、新たに特定したフォルダおよび楽曲ファイル２５が未登録である場合（ステップＳＴ３においてＮｏの場合）には、ＵＳＢメモリ５からその楽曲ファイル２５の楽曲データを取得し、イントロダクション再生処理を実行する（ステップＳＴ５〜ＳＴ６）。
【００６２】
また、ＵＳＢメモリ管理データ２６のコピー中に未検索のフォルダが残っていない場合、再生実行部６３は、スキャン再生が完了したと判断し、ＵＳＢメモリ５のスキャン再生処理を終了する。
【００６３】
以上の処理により、再生実行部６３は、ＵＳＢメモリ５に記憶されている楽曲データの中の、仮想的なＵＳＢメモリに未登録のフォルダ中の最初の楽曲データを連続的にイントロダクション再生することになる。
【００６４】
ここでイントロダクション再生とは再生開始後、１０秒程度の部分を再生することをいい、いわゆる楽曲のイントロダクション部分の再生をいう。しかしながら、この部分的な再生時間は、５秒、２０秒などの他の時間による再生としてもよい。
【００６５】
そして、この再生実行部６３によるスキャン再生中に、ユーザが仮想的なＵＳＢメモリに登録したい楽曲データが再生されると、ユーザは、ＡＤＤボタン１８を操作する（ステップＳＴ８）。キーデバイス３１は、ＡＤＤボタン１８の操作データを操作判断部６１へ供給する。操作判断部６１は、再生中の楽曲データを仮想的なＵＳＢメモリに登録するための登録指令を、仮想ＵＳＢ管理部６４へ供給する。
【００６６】
再生中楽曲の登録指令が供給されると、仮想ＵＳＢ管理部６４は、データ読込実行部４２から最後に読み込んだ楽曲ファイル２５、すなわちイントロダクション再生が実行された楽曲ファイル２５に関するデータ（デバイス管理データ４４）を取得し、取得したフォルダ管理データ２８を仮想ＵＳＢ管理データ７２に登録する（ステップＳＴ９）。その後、仮想ＵＳＢ管理部６４は、仮想ＵＳＢ管理データ７２に登録したフォルダ管理データ２８中のフォルダ名などの属性情報を液晶パネル２０に表示させる（ステップＳＴ１０）。
【００６７】
以上の処理により、所望の楽曲ファイル２５がフォルダ単位で仮想ＵＳＢ管理データ７２に登録され、ユーザは、その登録を液晶パネル２０の表示により確認することができる。仮想ＵＳＢ管理データ７２には、ＵＳＢメモリ５のスキャン再生中にＡＤＤボタン１８が操作された楽曲ファイル２５（楽曲データ）のフォルダのフォルダ管理データ２８が登録される。ユーザは、ＡＤＤボタン１８により選択した楽曲がフォルダ単位で仮想的なＵＳＢメモリに登録されていることを確認することができる。
【００６８】
たとえば図４には、仮想ＵＳＢ管理データ７２にフォルダ管理データ７３が１つも登録されていない状態において、再生実行部６３がＵＳＢメモリ５のスキャン再生を実行し、３つのフォルダを登録した場合の例が図示されている。
【００６９】
この状態の下では、再生実行部６３は、図中で斜線ハッチングを付加した、「アルバムＡ１」フォルダ中の「楽曲Ａ１」ファイルの楽曲データを読み込んでイントロダクション再生し、「アーティストＢ」フォルダ中の「楽曲Ｂ１」ファイルの楽曲データを読み込んでイントロダクション再生し、「アルバムＢ２」フォルダ中の最初の「楽曲Ｂ２」ファイルの楽曲データを読み込んでイントロダクション再生し、「アルバムＣ１」フォルダ中の「楽曲Ｃ１」ファイルの楽曲データを読み込んでイントロダクション再生し、さらに「アルバムＣ２」フォルダ中の「楽曲Ｃ２」ファイルの楽曲データを読み込んでイントロダクション再生して、ＵＳＢメモリ５のスキャン再生を終了する。
【００７０】
また、「アルバムＡ１」フォルダ中の「楽曲Ａ１」ファイルの楽曲データのイントロダクション再生中と、「アルバムＢ２」フォルダ中の最初の「楽曲Ｂ２」ファイルの楽曲データのイントロダクション再生中と、「アルバムＣ２」フォルダ中の「楽曲Ｃ２」ファイルの楽曲データのイントロダクション再生中とに、ＡＤＤボタン１８が操作されると、仮想ＵＳＢ管理部６４は、仮想ＵＳＢ管理データ７２に、「アルバムＡ１」フォルダのフォルダ管理データ７３と、「アルバムＢ２」フォルダのフォルダ管理データ７３と、「アルバムＣ２」フォルダのフォルダ管理データ７３とを、仮想ＵＳＢ管理データ７２に登録する。これにより、３つのアルバムが仮想的なＵＳＢメモリに登録されることになる。
【００７１】
なお、「アルバムＢ２」フォルダのフォルダ管理データ７３が登録されることで、仮想的なＵＳＢメモリには、そのフォルダ内の複数の楽曲ファイル２５、すなわち「楽曲Ｂ２」ファイルおよび「楽曲Ｂ３」ファイルが登録されたことになる。
【００７２】
次に、仮想的なＵＳＢメモリに記憶されている楽曲ファイル２５を削除する動作について説明する。ここでは、仮想的なＵＳＢメモリをスキャン再生中に削除する場合を例に説明する。この場合、ユーザは、まず、ソース選択ボタンとして機能する第一のプリセットボタン１１を操作して操作判断部６１に仮想的なＵＳＢメモリを選択させた上で、スキャンボタンとして機能する第六のプリセットボタン１６を操作する。これにより、操作判断部６１は、仮想的なＵＳＢメモリのスキャン再生指令を再生実行部６３へ供給する。
【００７３】
図７は、再生装置４における仮想的なＵＳＢメモリのスキャン再生処理および削除処理の流れを示すフローチャートである。ここで図６と同様に「Ｎ」はＮｏを示し、「Ｙ」はＹｅｓを示す。仮想的なＵＳＢメモリのスキャン再生指令が供給されると（ステップＳＴ２１）、再生実行部６３は、仮想的なＵＳＢメモリに記憶されている楽曲ファイル２５の楽曲データを、先頭から順番に且つ連続的に再生するスキャン再生処理を開始する。
【００７４】
具体的には、再生実行部６３は、まず、仮想ＵＳＢ管理部６４から仮想ＵＳＢ管理データ７２を取得し、そのデータ中の最初のフォルダを特定する。これにより、仮想的なＵＳＢメモリにおいて楽曲ファイル２５を格納する最初のフォルダが特定される（ステップＳＴ２２）。
【００７５】
次に、再生実行部６３は、その楽曲ファイル２５中の楽曲データのイントロダクション再生処理を開始する（ステップＳＴ２３）。具体的には、再生実行部６３は、まず、その特定されたフォルダのフォルダ管理データ７３およびその中の最初の楽曲ファイル２５を指定して、その楽曲ファイル２５中の楽曲データの取得指令を生成し、データ読込実行部４２へ供給する。データ読込実行部４２は、ＵＳＢＩ／Ｆ４１とＵＳＢメモリ５との間でデータ通信を実行させ、指定されたフォルダ中の最初の楽曲ファイル２５の楽曲データをＵＳＢメモリ５から取得し、取得した楽曲データを再生実行部６３へ供給する。楽曲データが供給されると、再生実行部６３は、その楽曲データに基づく音声信号などを生成し、再生を開始する。その後、再生実行部６３は、楽曲データの再生開始から所定の時間（たとえば楽曲の再生時間の一部分である約１０秒）が経過すると、再生を終了する（ステップＳＴ２４）。
【００７６】
また、データ読込実行部４２は、取得した楽曲ファイル２５のファイル名などの属性情報と、その楽曲ファイル２５が属するフォルダ名などの属性情報と、その楽曲ファイル２５のＵＳＢメモリ５における格納位置を示すアドレス（デバイスアドレス）などを、デバイス管理データ４４に登録する。これにより、デバイス管理データ４４には、最後に読み込んだ楽曲ファイル２５に関するデータが登録される。
【００７７】
１つの楽曲データのイントロダクション再生が完了すると、再生実行部６３は、スキャン再生が完了したか否かを判断する（ステップＳＴ２５）。具体的にはたとえば、再生実行部６３は、仮想ＵＳＢ管理部６４から取得した仮想ＵＳＢ管理データ７２中に、未検索のフォルダ管理データ７３が残っているか否かに基づいて、スキャン再生が完了したか否かを判断すればよい。
【００７８】
そして、仮想ＵＳＢ管理部６４から取得した仮想ＵＳＢ管理データ７２中に未検索のフォルダ管理データ７３が残っている場合、再生実行部６３は、スキャン再生が完了していないと判断する。再生実行部６３は、フォルダ管理データ７３の検索を続けて次のフォルダを特定し、新たに特定したフォルダ中の最初の楽曲ファイル２５の楽曲データをＵＳＢメモリ５から取得し（ステップＳＴ２６）、イントロダクション再生処理を実行する（ステップＳＴ２３〜ＳＴ２４）。
【００７９】
また、仮想ＵＳＢ管理部６４から取得した仮想ＵＳＢ管理データ７２中に未検索のフォルダ管理データ７３が残っていない場合、再生実行部６３は、スキャン再生が完了したと判断し、仮想的なＵＳＢメモリのスキャン再生処理を終了する。
【００８０】
以上の処理により、再生実行部６３は、仮想的なＵＳＢメモリに記憶されている楽曲データの中の、各フォルダ中の最初の楽曲データを連続的にイントロダクション再生することになる。
【００８１】
そして、この再生実行部６３による仮想的なＵＳＢメモリのスキャン再生中に、ユーザが仮想的なＵＳＢメモリから削除したい楽曲データがイントロダクション再生されると、ユーザは、ＤＥＬボタン１９を操作する（ステップＳＴ２７）。キーデバイス３１は、ＤＥＬボタン１９の操作データを操作判断部６１へ供給する。操作判断部６１は、再生中の楽曲データのフォルダを仮想的なＵＳＢメモリから削除するための削除指令を、仮想ＵＳＢ管理部６４へ供給する。
【００８２】
再生中楽曲の削除指令が供給されると、仮想ＵＳＢ管理部６４は、データ読込実行部４２から最後に読み込んだ楽曲ファイル２５、すなわち現在イントロダクション再生が実行されている楽曲ファイル２５に関するデータ（デバイス管理データ４４）を取得し、取得したフォルダ管理データ２８と合致するフォルダ管理データ７３を仮想ＵＳＢ管理データ７２から削除する（ステップＳＴ２８）。その後、仮想ＵＳＢ管理部６４は、仮想ＵＳＢ管理データ７２から削除したフォルダ管理データ７３中のフォルダ名などの属性情報を液晶パネル２０に表示させる（ステップＳＴ２９）。
【００８３】
以上の処理により、所望の楽曲ファイル２５がフォルダ単位で仮想ＵＳＢ管理データ７２から削除され、ユーザは、その削除を液晶パネル２０の表示により確認することができる。ユーザは、ＤＥＬボタン１９により選択した楽曲がフォルダ単位で仮想的なＵＳＢメモリから削除されたことを確認することができる。
【００８４】
たとえば図４の例は、仮想ＵＳＢ管理データ７２に３つのフォルダ管理データ７３が登録されている。この状態で、仮想的なＵＳＢメモリのスキャン再生が指示されると、再生実行部６３は、図中の「アルバムＡ１」フォルダ中の「楽曲Ａ１」ファイルの楽曲データを読み込んでイントロダクション再生し、「アルバムＢ２」フォルダ中の最初の「楽曲Ｂ２」ファイルの楽曲データを読み込んでイントロダクション再生し、さらに「アルバムＣ２」フォルダ中の「楽曲Ｃ２」ファイルの楽曲データを読み込んでイントロダクション再生して、仮想的なＵＳＢメモリのスキャン再生を終了する。
【００８５】
また、たとえば「アルバムＣ２」フォルダ中の「楽曲Ｃ２」ファイルの楽曲データのイントロダクション再生中にＤＥＬボタン１９が操作されると、仮想ＵＳＢ管理部６４は、仮想ＵＳＢ管理データ７２から「アルバムＣ２」フォルダのフォルダ管理データ７３を削除する。この結果、仮想的なＵＳＢメモリに記憶されるフォルダは、３つから２つへ減ることになる。
【００８６】
なお、以上の説明では、仮想的なＵＳＢメモリへの楽曲の登録動作と削除動作とは、スキャン再生中になされる場合を例として説明している。
【００８７】
この他にもたとえば、ＵＳＢメモリ５に記憶される楽曲データの通常の再生中にＡＤＤボタン１８が操作されると、仮想ＵＳＢ管理部６４は、データ読込実行部４２から最後に読み込んだその再生中の楽曲ファイル２５に関するデータを取得し、その楽曲ファイル２５が属するフォルダのフォルダ管理データ７３を、仮想ＵＳＢ管理データ７２に登録する。
【００８８】
また、仮想的なＵＳＢメモリに記憶される楽曲データの通常の再生中にＤＥＬボタン１９が操作されると、仮想ＵＳＢ管理部６４は、データ読込実行部４２から最後に読み込んだその再生中の楽曲ファイル２５に関するデータを取得し、その楽曲ファイル２５が属するフォルダのフォルダ管理データ７３を、仮想ＵＳＢ管理データ７２から削除する。
【００８９】
以上のように、この実施の形態の再生システム１では、楽曲データ（楽曲ファイル２５）を記憶するＵＳＢメモリ５が再生装置４に接続されると、データ読込実行部４２がＵＳＢメモリ５と通信可能となる。また、仮想ＵＳＢ管理部８１は、ＵＳＢメモリ５の再生中に選択された楽曲データ（楽曲ファイル２５）を特定するためのフォルダ管理データ７３をメモリに記憶させ、これにより従属的なＵＳＢメモリを仮想的に生成する。また、再生実行部６３は、仮想的なＵＳＢメモリに記憶されたフォルダ管理データ７３を用いて、ＵＳＢメモリ５に記録された楽曲データを再生する。
【００９０】
したがって、ＵＳＢメモリ５に記録された楽曲データの中の一部のものが仮想的なＵＳＢメモリに記憶されることにより、再生実行部６３は、この仮想的なＵＳＢメモリを用いて、ＵＳＢメモリ５に記憶される多数の楽曲データの中の一部分のみを再生することが可能である。また、ユーザは、ＵＳＢメモリ５に多数の楽曲データが記憶されている場合であっても、仮想的なＵＳＢメモリに記憶されるその一部の楽曲データのうちから、所望の再生のための所望の楽曲データを容易に探して再生することができる。
【００９１】
しかも、このフォルダ管理データ７３は、ＵＳＢメモリ５そのものではなくて、再生装置４に生成される仮想的なＵＳＢメモリに記憶されている。したがって、ユーザは、車両に乗車する前に自宅のパーソナルコンピュータなどを用いて事前に再生対象の楽曲データを選択する必要がなく、たとえば乗車後に楽曲データを選択して再生対象を絞り込むことができる。また、この構成であれば、ＵＳＢメモリ５に別の楽曲リストが記憶されている場合であっても、その別の楽曲リストに再生装置４の再生対象とするか否かを指定するデータを付加したりする必要はなく、その別の楽曲リストを汚してしまうことはない。ＵＳＢメモリ５に記憶される楽曲リストは、再生装置４以外の他の機器での再生に使用することができる。
【００９２】
また、この実施の形態の再生システム１では、再生装置４からＵＳＢメモリ５が抜かれ、データ読込実行部４２がＵＳＢメモリ５と通信可能でなくなると、ソース管理部６２は、選択可能ソースリスト７１から、ＵＳＢメモリ５とともに従属的なＵＳＢメモリを削除する。これにより、再生装置４の操作判断部６１は、ＵＳＢメモリ５および従属的なＵＳＢメモリを、再生ソースとして選択することができなくなる。
【００９３】
また、この実施の形態では、挿抜状態管理部４３は、ＵＳＢＩ／Ｆ４１とＵＳＢメモリ５とがデータ通信できる状態からできない状態へ変化して、通信可能でなくなったことを検出し、その場合には、仮想ＵＳＢ管理部６４は、仮想的なＵＳＢメモリからフォルダ管理データ７３をすべて削除する。これにより、再生装置４のＵＳＢＩ／Ｆ４１がＵＳＢメモリ５と通信可能でなくなることに基づいて、仮想的なＵＳＢメモリが初期化される。そのため、再生実行部６３が、仮想的なＵＳＢメモリに記憶される不整合なデータに基づいて、再生不可能な楽曲データの再生を試みてしまうことを防止することができる。なお、ＵＳＢメモリ５が抜かれたとき、仮想的なＵＳＢメモリを初期化せず、記録を保存し、次に同じＵＳＢメモリ５がさされたときに効率良くスキャン実行できるようにしてもよい。
【００９４】
また、この実施の形態では、再生実行部６３は、ＵＳＢメモリ５に記憶される楽曲データをイントロダクション再生や通常の再生をし、仮想ＵＳＢ管理部６４は、その再生中にＡＤＤボタン１８により選択された楽曲データのフォルダ管理データ７３を仮想的なＵＳＢメモリに記憶させる。したがって、ユーザは、ＵＳＢメモリ５に記憶される楽曲データを再生実行部６３により再生させ、その再生中のＡＤＤボタン１８の操作により所望の楽曲データのフォルダ管理データ７３を仮想的なＵＳＢメモリに登録することができる。ユーザは、たとえば液晶パネル２０などにより楽曲データを目視確認することなく安全に、且つ、登録対象の楽曲データを容易に確認し、仮想的なＵＳＢメモリへ登録することができる。この点は、車両のように視線が前方からそれると危険となる場合には、特に好適となる。
【００９５】
また、この実施の形態では、再生実行部６３は、仮想的なＵＳＢメモリにフォルダ管理データ７３が記憶されている楽曲データをイントロダクション再生や通常の再生をし、仮想ＵＳＢ管理部６４は、その再生中にＤＥＬボタン１９により選択されたフォルダ管理データ７３を仮想的なＵＳＢメモリから削除する。これにより、ユーザは、仮想的なＵＳＢメモリに登録された楽曲データを再生実行部６３により再生させ、その再生中のＤＥＬボタン１９の操作により所望の楽曲データのフォルダ管理データ７３を仮想的なＵＳＢメモリから削除することができる。ユーザは、仮想的なＵＳＢメモリに登録された楽曲データをたとえば液晶パネル２０などにより目視確認することなく安全に、且つ、削除する楽曲データを容易に確認し、仮想的なＵＳＢメモリから削除することができる。また、削除された楽曲データは、削除後の仮想的なＵＳＢメモリのスキャン再生において再生されることはない。この点もまた、車両のように視線が前方からそれると危険となる場合には、特に好適となる。
【００９６】
特に、再生実行部６３は、ＵＳＢメモリ５のスキャン再生処理において、ＵＳＢメモリ５に記憶される楽曲データの一部を部分的に順番にイントロダクション再生し、仮想ＵＳＢ管理部６４は、再生中に選択された楽曲データのフォルダ管理データ７３を仮想的なＵＳＢメモリに登録する。したがって、ユーザは、そのイントロダクションによる短時間毎の再生中に選択をすることで、短い作業時間において仮想的なＵＳＢメモリの登録データを更新することができる。
【００９７】
また、この実施の形態では、ＵＳＢメモリ５に記憶される楽曲データ（楽曲ファイル２５）はフォルダにより分類され、再生実行部６３は、ＵＳＢメモリ５に記憶される楽曲データ（楽曲ファイル２５）をフォルダ毎に１つずつ順番に再生し、仮想ＵＳＢ管理部６４は、選択された楽曲データのフォルダ管理データ２８，７２を仮想的なＵＳＢメモリに登録する。これにより、ＵＳＢメモリ５に記憶される楽曲データ（楽曲ファイル２５）は、再生実行部６３によりフォルダ毎に１つずつ効率良く再生される。ユーザは、この効率良いスキャン再生に基づいて、仮想的なＵＳＢメモリの登録データを短い作業時間により更新することができる。
【００９８】
また、この実施の形態では、再生実行部６３は、楽曲を追加登録する時などにおいて、ＵＳＢメモリ５に記憶される楽曲データの中の、仮想的なＵＳＢメモリにフォルダ管理データ７３が記憶されていないもののみをイントロダクション再生することができる。これにより、仮想的なＵＳＢメモリに登録済み楽曲データは、再生実行部６３により再生されない。再生実行部６３は、ＵＳＢメモリ５に記憶される楽曲データの中の、未登録のものだけを効率良くイントロダクション再生することができる。また、登録された楽曲データは、登録後のＵＳＢメモリ５のスキャン再生において再生されることがない。
【００９９】
以上の実施の形態は、本発明の好適な実施の形態の例であるが、本発明は、これに限定されるものではなく、発明の要旨を逸脱しない範囲において種々の変形や変更が可能である。
【０１００】
上記実施の形態では、再生装置４は、再生のみを行うものとしているが、再生装置としては再生に加え、記録を行うものとしてもよい。
【０１０１】
また、上記実施の形態では、再生装置４にＵＳＢメモリ５が装着されていない場合、選択可能ソースリスト７１には、組み込まれているチューナおよびＣＤが登録され、液晶パネル２０には、チューナおよびＣＤが選択可能なソースとして順番に表示されることになる。この他にもたとえば、再生装置４にＵＳＢメモリ５が装着されていない場合でも、液晶パネル２０には、スタンバイ、チューナおよびＣＤとともに、ＵＳＢメモリ５や仮想的なＵＳＢメモリを順番に表示し、ＵＳＢメモリ５や仮想的なＵＳＢメモリがソースとして常に選択可能となるようにしてもよい。さらには、仮想的なＵＳＢメモリは、再生装置４において、選択可能なソースとして表示されないように設定可能であってもよい。
【０１０２】
この変形例の場合、選択可能ソースリスト７１に登録されていないＵＳＢメモリ５あるいは仮想的なＵＳＢメモリが再生ソースあるいはスキャン再生ソースとして選択された場合には、操作判断部６１は、液晶パネル２０に「ＮＯ  ＤＥＶＩＣＥ」などの未接続を示す表示をさせるようにすればよい。これにより、ＵＳＢメモリ５および仮想的なＵＳＢメモリは、実質的に再生ソースとして選択することができなくなる。また、再生装置４にＵＳＢメモリ５が接続されているものの、仮想ＵＳＢ管理データ７２に登録データが無い場合において、仮想的なＵＳＢメモリが再生ソースあるいはスキャン再生ソースとして選択されたときには、操作判断部６１は、液晶パネル２０に「ＮＯ  ＥＮＴＲＹ」などの未登録を示す表示をさせるようにすればよい。さらに、ＵＳＢメモリ５が交換されたり、仮想ＵＳＢ管理データ７２の登録データが変更されたりするなどして、仮想ＵＳＢ管理データ７２を更新している間に仮想的なＵＳＢメモリが再生ソースあるいはスキャン再生ソースとして選択されたときには、操作判断部６１は、その処理が終えるまで液晶パネル２０に「ＣＨＥＣＫＩＮＧ」などの表示をさせ、その後に所定の再生処理の開始を指令するようにすればよい。
【０１０３】
上記実施の形態では、ＵＳＢメモリ５中の楽曲データ（楽曲ファイル２５）は、フォルダ単位で、仮想ＵＳＢ管理データ７２（仮想的なＵＳＢメモリ）に登録される。この他にもたとえば、仮想ＵＳＢ管理部６４は、ＵＳＢメモリ５中の楽曲データ（楽曲ファイル２５）のファイル管理データ２７を、ファイル名のみで仮想ＵＳＢ管理データ７２（仮想的なＵＳＢメモリ）に登録するようにしてもよい。さらに他にもたとえば、仮想ＵＳＢ管理部６４は、ＵＳＢメモリ５中の楽曲データ（楽曲ファイル２５）を、フォルダ単位ではなくファイル単位で仮想ＵＳＢ管理データ７２（仮想的なＵＳＢメモリ）に登録するようにしてもよい。
【０１０４】
上記実施の形態では、仮想ＵＳＢ管理部６４は、再生装置４のシステムマイクロコンピュータ３３において実現されている。この他にもたとえば、仮想ＵＳＢ管理部６４は、ＵＳＢモジュール３２において実現されるようにしてもよい。
【０１０５】
図８は、再生装置４の変形例の構成を示すブロック図である。この変形例の再生装置４では、仮想ＵＳＢ管理データ８２を有する仮想ＵＳＢ管理部８１が、ＵＳＢモジュール３２において実現されている。なお、仮想ＵＳＢ管理データ８２は、ＵＳＢモジュール３２の図示外のメモリに記憶されていればよい。
【０１０６】
上記実施の形態では、データ読込実行部４２がＵＳＢメモリ５へのアクセスに基づいて生成するデバイス管理データ４４は、ＵＳＢモジュール３２の図示外のメモリに記憶される。この他にもたとえば、デバイス管理データ４４は、システムマイクロコンピュータ３３のメモリ５１に記憶されていてもよい。
【０１０７】
上記実施の形態などでは、仮想ＵＳＢ管理部６４，８１は、再生実行部６３が再生している楽曲データ（楽曲ファイル２５）に関するデータ（たとえばフォルダ管理データ）４４により、仮想ＵＳＢ管理データ７２を更新している。この他にもたとえば、仮想ＵＳＢ管理部６４，８１は、液晶パネル２０に表示している楽曲データ（楽曲ファイル２５）に関するデータ（たとえばフォルダ管理データ）４４により、仮想ＵＳＢ管理データ７２を更新するようにしてもよい。さらに他にもたとえば、スピーカ３などから楽曲データ（楽曲ファイル２５）に関するデータを音声で報知（たとえば音声ガイダンス）し、仮想ＵＳＢ管理部６４，８１は、その報知した楽曲データ（楽曲ファイル２５）に関するデータ（たとえばフォルダ管理データ）４４により、仮想ＵＳＢ管理データ７２を更新するようにしてもよい。
【０１０８】
なお、音声ガイダンスなどにより報知する楽曲データ（楽曲ファイル２５）に関するデータとしては、その楽曲データ（楽曲ファイル２５）のフォルダ名やファイル名であればよい。特に、楽曲データ（楽曲ファイル２５）のフォルダ名とファイル名とを合わせて報知するようにすることで、ＵＳＢメモリ５中に同一ファイル名の楽曲データ（楽曲ファイル２５）がある場合でも、それらを区別して報知することができる。
【０１０９】
上記実施の形態では、再生装置４は、ＵＳＢＩ／Ｆ４１を有し、再生装置４に装着されているＵＳＢメモリ５とデータ通信をしている。この他にもたとえば、再生装置４は、ＵＳＢ以外の有線通信Ｉ／Ｆあるいは無線ＬＡＮ、ブルートゥース、赤外線通信などの無線通信Ｉ／Ｆを有するものであってもよい。また、再生装置４は、ＵＳＢメモリ５の替わりに、携帯電話端末、ＰＤＡ（Ｐｅｒｓｏｎａｌ  Ｄａｔａ  Ａｓｓｉｓｔａｎｔ）、半導体メモリ、ＣＤ、ＤＶＤ（Ｄｉｇｉｔａｌ  Ｖｅｒｓａｔｉｌｅ  Ｄｉｓｋ）などの記録媒体とデータ通信するものであってもよい。
【０１１０】
上記実施の形態では、ＵＳＢメモリ５は、楽曲データ（楽曲ファイル２５）などの音声再生データを記憶し、システムマイクロコンピュータ３３のメモリ５１は、ＵＳＢメモリ５においてこの楽曲データを特定するための音声再生データ（フォルダ管理データ７３）を記憶する。この他にもたとえば、ＵＳＢメモリ５は、楽曲以外の音声再生データ、映画などの動画再生データ（動画ファイル）、写真などの静止画データ（静止画ファイル）、読み上げ可能なテキストデータなどの再生データ（コンテンツファイル）を記憶し、システムマイクロコンピュータ３３のメモリ５１は、これらの再生データを特定するためのデータを記憶するものであってもよい。
【０１１１】
上記実施の形態では、ＵＳＢメモリ５と仮想的なＵＳＢメモリとは１つずつである。この他にもたとえば、ＵＳＢメモリ５と仮想的なＵＳＢメモリとの対応関係は、１対多、多対１、多対多であってもよい。また、データ再生ソースとしては、ＵＳＢメモリ５以外、携帯型ハードディスクデバイス、ＳＤ（Ｓｅｃｕｒｅ  Ｄｉｇｉｔａｌ）メモリカード、光記録装置などの他の携帯可能な記録部材としてもよい。
【０１１２】
上記実施の形態では、ユーザは、仮想的なＵＳＢメモリに登録される楽曲データ（楽曲ファイル２５）を更新するために、再生装置４のＡＤＤボタン１８およびＤＥＬボタン１９を操作している。この他にもたとえば、ユーザは、仮想的なＵＳＢメモリに登録される楽曲データ（楽曲ファイル２５）を更新するために、再生装置４とデータ通信可能なリモートコントローラユニット、携帯電話端末、ＰＤＡなどを操作するようにしてもよい。さらに他にもたとえば、再生装置４の無線通信Ｉ／Ｆなどは、再生データなどを記憶する複数の携帯通信端末とデータ通信可能であり、１つの仮想ＵＳＢ管理データ７２に、複数の携帯通信端末に記憶される再生データなどが登録されるようにしてもよい。これにより、乗車する複数のユーザが携帯通信端末などにより持ち寄った再生データを、再生装置４に実現される仮想的なメモリにより管理し、連続的に再生したりすることができる。また、再生データとしては、楽曲のほかに、映画などの動画、映画などに音と動画とが組み合わされたもの、その他の種々のデータとしてもよい。
【産業上の利用可能性】
【０１１３】
本発明は、自動車などの車両に搭載される車載オーディオシステムなどにおいて、ＵＳＢメモリなどに記録されたメディアを再生する場合に好適に利用することができる。なお、再生以外に、家庭内のオーディオシステム、劇場などのオーディオシステム、屋外で使用するオーディオシステムなどの各種のオーディオシステムに利用することができる。
【図面の簡単な説明】
【０１１４】
【図１】本発明の実施の形態に係る再生システムを示すシステム構成図である。
【図２】図１の再生システム中の再生装置を示す正面図である。
【図３】図１中のＵＳＢメモリおよび再生装置の詳細な構成を示すブロック図である。
【図４】図３のＵＳＢメモリ中のＵＳＢメモリ管理データと仮想ＵＳＢ管理データとの対応関係を示す説明図である。
【図５】図２の再生装置中の液晶パネルに順番に表示される複数のソース情報を示す説明図である。
【図６】図２の再生装置による、ＵＳＢメモリのスキャン再生処理および登録処理の流れを示すフローチャートである。
【図７】図２の再生装置による、仮想的なＵＳＢメモリのスキャン再生処理および削除処理の流れを示すフローチャートである。
【図８】図２の再生装置の変形例の構成を示すブロック図である。
【符号の説明】
【０１１５】
１  再生システム
４  再生装置
５  ＵＳＢメモリ（データ再生ソース、再生ソースの一種）
２５  楽曲ファイル（再生するためのデータのファイル）
３４  チューナデバイス（再生ソースの一種）
３５  ＣＤデバイス（再生ソースの一種）
４１  ＵＳＢＩ／Ｆ（通信手段）
４３  挿抜状態管理部
５１  メモリ
６１  操作判断部（ソース選択手段の一部）
６２  ソース管理部（ソース選択手段の一部）
６３  再生実行部（再生手段）
６４，８１  仮想ＵＳＢ管理部（再生対象選択手段、初期化手段）
７２，８２  仮想ＵＳＢ管理データ（データに関するデータ）
７３  フォルダ管理データ（特定データ）
【図１】
2008181624.tif 000003
【図２】
2008181624.tif 000004
【図３】
2008181624.tif 000005
【図４】
2008181624.tif 000006
【図５】
2008181624.tif 000007
【図６】
2008181624.tif 000008
【図７】
2008181624.tif 000009
【図８】
2008181624.tif 000010